(57)【要約】【課題】本発明は、上記に鑑みてなされたものであって、掃除場所に応じて専用の吸引掃除機用ノズルに交換することなく、広範囲に吸引掃除と拭き掃除を同時に行うことのできる吸引掃除機用ノズルを提供することを課題とする。【解決手段】本発明にかかる吸引掃除機用ノズルを、吸引掃除機本体に接続された吸引ホースに装着する吸引掃除機用ノズルであって、薄板状のノズル本体と、該ノズル本体部を前記吸引ホースに接続して固定する固定手段とからなり、前記ノズル本体の淵に沿って前記ノズル本体の辺縁に形成された吸引開口部を有することを特徴とする吸引掃除機用ノズルとする。【選択図】図１
2009118994.tif 000002
【特許請求の範囲】
【請求項１】
吸引掃除機本体に接続された吸引ホースに装着する吸引掃除機用ノズルであって、
薄板状のノズル本体と、
該ノズル本体部を前記吸引ホースに接続して固定する固定手段とからなり、
前記ノズル本体の淵に沿って前記ノズル本体の辺縁に形成された吸引開口部を有することを特徴とする吸引掃除機用ノズル。
【請求項２】
吸引掃除機本体に接続された吸引ホースに装着する吸引掃除機用ノズルであって、
略平行に近接して相対する２枚の平板および該２枚の平板を互いに固定する１または複数の支持部材からなる薄板状のノズル本体と、
該ノズル本体部を前記吸引ホースに接続して固定する固定手段とからなり、
前記２枚の平板の淵に沿って前記ノズル本体の辺縁に吸引開口部が形成されることを特徴とする請求項１に記載の吸引掃除機用ノズル。
【請求項３】
前記ノズル本体の先端部が山型形状をなすことを特徴とする請求項１または２に記載の吸引掃除機用ノズル。
【請求項４】
前記吸引開口部の厚さが３ｍｍ〜３０ｍｍであり、前記ノズル本体の厚さが５ｍｍ〜５０ｍｍであることを特徴とする請求項１から３のいずれか１項に記載の吸引掃除機用ノズル。
【請求項５】
前記吸引開口部がノズル本体の辺縁の一部分に限定的に形成されることを特徴とする請求項１〜４のいずれか１項に記載の吸引掃除機用ノズル。
【請求項６】
前記吸引開口部周りに、さらにブラシが設けられていることを特徴とする請求項１〜５のいずれか１項に記載の吸引掃除機用ノズル。
【請求項７】
前記ノズル本体の少なくとも１つの面に、さらに拭き取り用の柔軟部材を脱着可能に装着した請求項１〜６のいずれか１項に記載の吸引掃除機用ノズル。
【請求項８】
前記柔軟部材が、起毛部材、多孔質性ゴム、合成樹脂、不織布、および紙からなる群から選択される少なくともいずれか１つであることを特徴とする請求項７に記載の吸引掃除機用ノズル。
【発明の詳細な説明】
【技術分野】
【０００１】
本発明は、吸引掃除機本体に接続された吸引ホースに装着する吸引掃除機用ノズルに関し、特に吸い込みと拭き取りが可能で、更に狭い隙間および細かい置物等の吸い込みと拭き取りが可能な吸引掃除機用ノズルに関する。
【背景技術】
【０００２】
従来、吸引掃除機本体に接続された吸引ホースに装着する吸引掃除機用ノズルは、床などの広い面の埃を対象とした吸い込み用ノズルと、家具の隙間のような狭い空間の埃や置物などの細かい部分の埃を対象とした吸い込み用ノズルが用いられていた。これらの吸引掃除機用ノズルは、必要に応じて交換して用いられていたが、利便性の点から複数の用途に用いることができる吸引掃除機用ノズルが求められていた。
【０００３】
このような観点から、広い面を対象とした吸込みと拭き取りを同時に行うことができる吸引掃除機用ノズルが開示されている。
【０００４】
特許文献１では、電気掃除機の床用吸込具の底面板に起毛布を取り付け、この起毛布が床と接触した状態で掃除機本体を駆動しながら床用吸込具を移動させることで、電気掃除機による吸引掃除と床面の拭き掃除が同時にできる吸引掃除機用ノズルが開示されている。
【０００５】
特許文献２では、電気掃除機の吸込具本体の底面に吸込口を形成すると共に、この吸込口に隣接して拭き部材を設けた吸引掃除機用ノズルが開示されている。
【０００６】
特許文献３では、電気掃除機のノズル本体の一方面側に拭き掃除部を形成し、他方面側に床掃除部を形成すると共に、このノズル本体を反転回転可能とした吸引掃除機用ノズルが開示されている。
【０００７】
また、置物などの細かい部分の吸込みと拭き取りを同時に行うことができる吸引掃除機用ノズルが開示されている。特許文献４では、弾性を有するシート材を裁断して作製されたペン先形状のシート部材と、埃等を拭き取るために前記シート部材裏面の下辺を除く周縁部に所定の幅で形成された拭き取り手段と、前記吸引ホースに固定するために前記シート部材の下辺側に設けられた固定手段とで構成され、前記固定手段によって前記吸引ホースに取り付けられた際に、横断面は逆Ｖ字型となり、かつ前記拭き取り手段が当接される掃除面と略平行になるようにした吸引掃除機用ノズルが開示されている。
【０００８】
【特許文献１】特開平４−８９０１７号公報
【特許文献２】特開平８−２９４４６８号公報
【特許文献３】特開２０００−６０７７３号公報
【特許文献４】特開２００１−８８６５号公報
【発明の開示】
【発明が解決しようとする課題】
【０００９】
しかしながら、前記特許文献１の吸引掃除機用ノズルにおいては、床の塵等を捕捉することで起毛布が汚れた場合、起毛布を洗わなければならず、手入れが面倒であるという問題があった。また、特許文献１及び２の吸引掃除機用ノズルにおいては、起毛布又は拭き部材は前記吸込口を避けた形状にしなければならないため、起毛布又は拭き部材の面積が比較的小さくなってしまい、塵等を捕捉する効率が比較的低いという問題があった。一方、特許文献３の吸引掃除機用ノズルにおいては、前記ノズル本体の一方面側全体を拭き掃除部とできることで、この拭き掃除部の面積を比較的大きくすることができ、従って塵等を捕捉する効率が比較的高いものの、前記ノズル本体を反転させた際に拭き掃除部が露わになってしまい、特に、汚れた拭き掃除部が露わになった場合、外観上好ましくないという問題があった。更に、内部に複数の吸引経路を形成している複雑な構造であるにも拘わらず、床の拭き掃除をしている時には吸引掃除ができず、また、床の吸引掃除をしている時には拭き掃除ができない等、複合的な掃除ができないという問題があった。
【００１０】
また、特許文献４の吸引掃除機用ノズルでは、隙間掃除を行うことができるが、拭き掃除部の面積を広く取れないため、床などの広い面積を掃除することは難しかった。またノズルアタッチメントを吸引式掃除機ノズルに巻きつける形で固定するため、角度の自由度が少なく、棚等を掃除するのに不便があった。またこれまでのノズルアタッチメントでは、ノズルの吸引部が大きく開口しており、ペーパーなどのシート状の物や、吸引部より小さなものは吸い込んでしまうことがあった。
【００１１】
以上のように、吸引掃除機用ノズルにおいては、床などの広い面を吸い込み掃除すること、家具の隙間のような狭い空間を掃除すること、日用小物、新聞、置物などの細かい部分を掃除することを、ひとつの吸引掃除機用ノズルで掃除をする事は困難であった。
【００１２】
本発明は、上記に鑑みてなされたものであって、掃除場所に応じて専用の吸引掃除機用ノズルに交換することなく、広範囲に吸引掃除と拭き掃除を同時に行うことのできる吸引掃除機用ノズルを提供することを課題とする。
【課題を解決するための手段】
【００１３】
本発明者は、上記課題を解決するために吸引掃除機用ノズルについて鋭意研究を進めたところ、特定の形態の吸引開口部を有する吸引掃除機用ノズルが優れた清掃特性を有することを見いだし、この知見に基づいて本発明を完成させるに至った。
【００１４】
すなわち本発明は、以下の吸引掃除機用ノズルを提供する。
［１］吸引掃除機本体に接続された吸引ホースに装着する吸引掃除機用ノズルであって、
薄板状のノズル本体と、
該ノズル本体部を前記吸引ホースに接続して固定する固定手段とからなり、
前記ノズル本体の淵に沿って前記ノズル本体の辺縁に形成された吸引開口部を有することを特徴とする吸引掃除機用ノズル。
［２］吸引掃除機本体に接続された吸引ホースに装着する吸引掃除機用ノズルであって、
略平行に近接して相対する２枚の平板および該２枚の平板を互いに固定する１または複数の支持部材からなる薄板状のノズル本体と、
該ノズル本体部を前記吸引ホースに接続して固定する固定手段とからなり、
前記２枚の平板の淵に沿って前記ノズル本体の辺縁に吸引開口部が形成されることを特徴とする［１］に記載の吸引掃除機用ノズル。
［３］前記ノズル本体の先端部が山型形状をなすことを特徴とする［１］または［２］に記載の吸引掃除機用ノズル。
［４］前記吸引開口部の厚さが３ｍｍ〜３０ｍｍであり、前記ノズル本体の厚さが５ｍｍ〜５０ｍｍであることを特徴とする［１］〜［３］のいずれかに記載の吸引掃除機用ノズル。
［５］
前記吸引開口部がノズル本体の辺縁の一部分に限定的に形成されることを特徴とする請求項［１］〜［４］のいずれかに記載の吸引掃除機用ノズル。
［６］
前記吸引開口部周りに、さらにブラシが設けられていることを特徴とする［１］〜［５］のいずれかに記載の吸引掃除機用ノズル。
［７］前記ノズル本体の少なくとも１つの面に、さらに拭き取り用の柔軟部材を脱着可能に装着した［１］〜［６］のいずれかに記載の吸引掃除機用ノズル。
［８］前記柔軟部材が、起毛部材、多孔質性ゴム、合成樹脂、不敷布からなる群から選択される少なくともいずれか１つであることを特徴とする［７］に記載の吸引掃除機用ノズル。
【発明の効果】
【００１５】
本発明の吸引掃除機用ノズルを用いることにより、掃除場所に応じて専用の吸引掃除機用ノズルに交換することなく、広範囲に吸引掃除と拭き掃除を同時に行うことのできる。
【発明を実施するための最良の形態】
【００１６】
以下に、本発明の実施形態について説明する。
本発明にかかる吸引掃除機用ノズルは、吸引掃除機本体に接続された吸引ホースに装着する吸引掃除機用ノズルであって、薄板状のノズル本体と、該ノズル本体部を前記吸引ホースに接続して固定する固定手段とからなり、前記ノズル本体の淵に沿って前記ノズル本体の辺縁に形成された吸引開口部を有することを特徴とする。
【００１７】
本発明にかかる吸引掃除機用ノズルは、例えば、図１のような形状にすることができる。薄板状のノズル本体（１）には、吸引掃除機本体に接続された吸引ホース（４）を通した吸引力により吸引掃除機用ノズル外部の埃などを吸引するための吸引開口部（２）が、ノズル本体の淵に沿ってノズル本体の辺縁に形成されている。固定手段（３）は、このノズル本体（１）を吸引ホースに接続して固定する。
【００１８】
前記ノズル本体は薄板状の形状であり、床などの広い面を吸い込み掃除することができる。すなわち、薄板状のノズル本体は床などの広い面に置かれ、そのノズル本体の淵に沿ってノズル本体の辺縁に形成された吸引開口部から広い面上を吸込み掃除することができる。同時に、ノズル本体の材質によってはノズル本体自体で、好ましくはノズル本体の少なくとも一面に拭き取り用の柔軟部材を脱着可能に装着して、このノズル本体を広い面上を移動させることにより拭き取り掃除をすることもできる。
【００１９】
また、前記ノズル本体は薄板状の形状であり、家具の隙間のような狭い空間に容易に入れることができる。前記ノズル本体の淵に沿って前記ノズル本体の辺縁に吸引開口部が形成されているため、この吸引開口部より狭い隙間を広い範囲で吸引掃除することができる。また、薄板表面の材質によってはノズル本体自体で、好ましくはノズル本体の少なくとも一面に拭き取り用の柔軟部材を脱着可能に装着して、隙間の両面にある家具の側面などを拭き掃除することもできる。
【００２０】
さらに、前記ノズル本体の淵に沿って前記ノズル本体の辺縁に形成された吸引開口部から、日用小物、新聞、置物などの細かい部分を掃除することもできる。
【００２１】
前記ノズル先端部は、狭い空間に容易に入れることができる様々な形状を有することができる。狭い空間への挿入容易性および作製上の容易性により、山型、半円型など先端の幅が収束した形状が好ましく、山型の形状がより好ましい。
【００２２】
前記ノズル本体の辺縁に形成された吸引開口部は、効果的に吸引掃除機用ノズル外部の埃などを吸引するため、その幅が３ｍｍ〜３０ｍｍであることが好ましく、５ｍｍ〜１５ｍｍとすることがさらに好ましい。その幅が薄すぎると吸引物が詰まり易くなり、その幅が広くなり過ぎると吸引力が低下する。また、ノズル本体の狭い空間への挿入容易性から、ノズル本体の厚さは５ｍｍ〜５０ｍｍであることが好ましい。
【００２３】
前記吸引開口部は、ノズル本体の辺縁の一部分に限定的に形成することもできる。吸引開口部を一部分とすることにより、吸引力を高めることができる。例えば、山型、半円型など先端の幅が収束した形状のノズル先端部を有する場合、幅が収束した形状の部分を吸引開口部とすることもできる。
【００２４】
前記吸引開口部周りに、さらにブラシを設けることもできる。ブラシを設けることにより清掃の実効性を高めることができる。
【００２５】
前記ノズル本体には通常の吸引掃除機用ノズルに用いられる様々な材質を用いることができる。この材質としては、ＡＢＳ樹脂、ポリプロピレン、紙等を挙げることができる。また、これらの材質の少なくとも外側表面に、拭き取り用に適した柔軟部材を組合せて用いることもできる。
【００２６】
前記ノズル本体を固定部と脱離可能として、清掃時の便宜のため前記ノズル本体のみを消耗交換品とすることができる。また、固定部分の弾力部分も含めたノズル本体を残りの固定部と脱離可能として、消耗交換品とすることができる。また、固定手段をノズル本体の一部としてノズル本体内に収納した形態とすることもできる。
【００２７】
前記ノズル本体の少なくとも１つの面に、さらに拭き取り用の柔軟部材を脱着可能に装着することもできる。脱着可能にすることにより、汚れた柔軟部材を容易に交換することができる利便性がある。
【００２８】
前記柔軟部材には、拭き取り掃除に適する様々な材質の材料を用いることができ。これらの材料としては、例えば、紙、布、起毛布、およびナイロンパイルなどの起毛部材、多孔質性ゴム、合成樹脂、不織布、化学雑巾、および紙等を挙げることができる。
【００２９】
前記柔軟部材の前記ノズル本体への装着方法としては、力学的、化学的、または電磁的方法も含め、通常、吸引掃除機用ノズルに用いられる様々な装着方法を用いることができる。これらの装着方法としては、例えば、マジックテープ、ボタン、両面テープ、マグネット、ゴム、粘着シート、フック、および引っ掛けなどを用いる装着方法、差込式、全体にかぶせる方式、掃除機の吸引力を利用する方式などの装着方法などを挙げることができる。
【００３０】
本発明にかかる吸引掃除機用ノズルの前記固定手段としては、通常、吸引掃除機用ノズルに用いられる様々な固定手段を用いることができる。これらの固定手段としては、例えば、ノズル本体に接着されたもの（一体型の吸引掃除機用ノズル）、ノズル本体と脱着可能なものなどを挙げることができる。また、固定手段と吸引ホースとの装着方法としては、例えば、嵌め込み式、ベルト固定式、およびボタン固定式などを挙げることができる。
【００３１】
前記固定手段には、弾力部分を設けることができる。弾力部分を設けることにより、本発明にかかる吸引掃除機用ノズル使用時の拭き取り面との適切な角度をとることができ、該ノズル使用の実効を高めることが可能となる。例えば、図２（ａ）または（ｂ）のように、固定部３の中央に弾力部分（凹凸部分）を設けることができる。前記弾力部分は、プラスティックの弾力性を利用するもの、バネの復元力を用いるものなど、業界で既知の様々なものを用いることができる。弾力部分を拭き取りの支点として、拭き取り面に置いた前記ノズル本体と前記固定手段が、弾力部分で一定の角度をなすようにすることもできる。
【００３２】
本発明にかかる吸引掃除機用ノズルの態様には様々な形態のものを挙げることができる。ここでは、その中でも具体的な１例をさらに図を用いて説明する。図２には、本発明にかかる吸引掃除機用ノズルの平面図（ａ）、立面図（ｂ）、および側面図（ｃ）を示している。図２に示される吸引掃除機用ノズルは、２枚の平板と、この２枚の平板を互いに固定する支持部材とからなる薄板状のノズル本体と、このノズル本体部を前記吸引ホースに接続して固定する固定手段とから構成される。この２枚の平板により、前記ノズル本体の辺縁に吸引開口部が形成されることを特徴とする。また、図２に示した吸引掃除機用ノズルに前記柔軟部材を粘着テープ装着した状態における平面図（ａ）および立面図（ｂ）を図３に示す。
【００３３】
前記支持部材は、２枚の両平板に固定しても、一方に固定してもよい。両平板に固定することにより、両平板間の距離を一定にすることができる。一部の支持部材を一方のみに固定することにより、平板間の距離を必要に応じ変化させることができ、本体部への髪や毛などの絡まりを防ぎ、排除することが容易になる。また、支持部材を平板の淵に櫛状に配置することもできる。これにより、紙や小物等の本体内への吸入を防ぐことができる。
【産業上の利用可能性】
【００３４】
以上のように、本発明にかかる吸引掃除機用ノズルは、吸引掃除機本体に接続された吸引ホースに装着する吸引掃除機用ノズルに有用であり、特に吸い込みと拭き取りが可能であり、更に狭い隙間および細かい置物等の吸い込みと拭き取りに適している。
【図面の簡単な説明】
【００３５】
【図１】本発明にかかる吸引掃除機用ノズルの１例を示す図である。
【図２】本発明にかかる吸引掃除機用ノズルの１例を示す図である。
【図３】本発明にかかる柔軟部材を装着した吸引掃除機用ノズルの１例を示す図である。
【符号の説明】
【００３６】
１  ノズル本体
２  吸引開口部
３  固定手段
４  吸引ホース
５  平板
６  支持部材
７  柔軟部材
８  粘着テープ
【図１】
2009118994.tif 000003
【図２】
2009118994.tif 000004
【図３】
2009118994.tif 000005